(57)【要約】  リアクトルは、発熱の影響の磁性体よりなるコアと、コアの一部に巻回されているコイルとを備える。コアは、互いに反対側に位置する両端を有する第１コア部と、互いに反対側に位置する両端を有する第２コア部と、互いに反対側に位置する両端を有する第３コア部と、互いに反対側に位置する両端を有する第４コア部とを有する。コイルは、第１コア部の一部に巻回された第１コイル部と、第２コア部の一部に巻回された第２コイル部とを有する。第１コア部内を通過する磁束に垂直な方向の第１コア部の断面積Ｓ１と、第２コア部内を通過する磁束に垂直な方向の第２コア部の断面積Ｓ２と、第３コア部内を通過する磁束に垂直な方向の第３コア部の断面積Ｓ３と、第４コア部内を通過する磁束に垂直な方向の第４コア部の断面積Ｓ４と、第１巻回部の長さＡ１と、第２巻回部の長さＡ２と、第１非巻回部の長さＢ１と、第２非巻回部の長さＢ２とは以下の関係：Ａ１＋Ａ２＜Ｂ１＋Ｂ２、Ｓ１＞Ｓ３、Ｓ１＞Ｓ４、Ｓ２＞Ｓ３、Ｓ２＞Ｓ４、を満たす。
2016163084.tif 000002
【特許請求の範囲】
【請求項１】
磁性体よりなるコアと、
前記コアの一部に巻回されているコイルと、
を備え、
前記コアは、互いに反対側に位置する両端を有する第１コア部と、互いに反対側に位置する両端を有する第２コア部と、互いに反対側に位置する両端を有する第３コア部と、互いに反対側に位置する両端を有する第４コア部とを有し、
前記第１コア部の前記両端のうちの一方の端は前記第３コア部の前記両端のうちの一方の端に接続されており、
前記第３コア部の前記両端のうちの他方の端は前記第２コア部の前記両端のうちの一方の端と接続されており、
前記第２コア部の前記両端のうちの他方の端は前記第４コア部の前記両端のうちの一方の端と接続されており、
前記第４コア部の前記両端のうちの他方の端は前記第１コア部の前記両端のうちの他方の端と接続されており、
前記コイルは、前記第１コア部の一部に巻回された第１コイル部と、前記第２コア部の一部に巻回された第２コイル部とを有し、
前記第１コア部は、
前記第１コイル部が巻回されている第１巻回部と、
前記第１コア部の前記両端の前記一方の端から前記第１巻回部まで延びていて前記第１コイル部が巻回されていない第１領域と、
前記第１コア部の前記両端の前記他方の端から前記第１巻回部まで延びていて前記第１コイル部が巻回されていない第２領域と、
を有し、
前記第２コア部は、
前記第２コイル部が巻回されている第２巻回部と、
前記第２コア部の前記両端の前記一方の端から前記第２巻回部まで延びていて前記第２コイル部が巻回されていない第３領域と、
前記第２コア部の前記両端の前記他方の端から前記第２巻回部まで延びていて前記第２コイル部が巻回されていない第４領域と、
を有し、
前記第３コア部と前記第１コア部の前記第１領域と前記第２コア部の前記第３領域とは第１非巻回部を構成し、
前記第４コア部と前記第１コア部の前記第２領域と前記第２コア部の前記第４領域とは第２非巻回部を構成し、
前記第１コア部内を通過する磁束に垂直な方向の前記第１コア部の断面積Ｓ１と、前記第２コア部内を通過する磁束に垂直な方向の前記第２コア部の断面積Ｓ２と、前記第３コア部内を通過する磁束に垂直な方向の前記第３コア部の断面積Ｓ３と、前記第４コア部内を通過する磁束に垂直な方向の前記第４コア部の断面積Ｓ４と、前記第１巻回部の長さＡ１と、前記第２巻回部の長さＡ２と、前記第１非巻回部の長さＢ１と、前記第２非巻回部の長さＢ２とは以下の関係：
Ａ１＋Ａ２＜Ｂ１＋Ｂ２、
Ｓ１＞Ｓ３、
Ｓ１＞Ｓ４、
Ｓ２＞Ｓ３、
Ｓ２＞Ｓ４、
を満たす、リアクトル。
【請求項２】
前記断面積Ｓ１と前記断面積Ｓ２と前記断面積Ｓ３と前記断面積Ｓ４と前記長さＡ１と前記長さＡ２と前記長さＢ１と前記長さＢ２とは以下の関係：
（Ｂ１＋Ｂ２）×０．５＜Ａ１＋Ａ２＜（Ｂ１＋Ｂ２）×０．９、
Ｓ１×０．６＜Ｓ３＜Ｓ１、
Ｓ１×０．６＜Ｓ４＜Ｓ１、
Ｓ２×０．６＜Ｓ３＜Ｓ２、
Ｓ２×０．６＜Ｓ４＜Ｓ２、
を満たす、請求項１に記載のリアクトル。
【請求項３】
前記第１コア部内を通過する前記磁束の前記方向の前記第１コア部の長さＬ１と、前記第２コア部内を通過する前記磁束の前記方向の前記第２コア部の長さＬ２と、前記第３コア部内を通過する前記磁束の前記方向の前記第３コア部の長さＬ３と、前記第４コア部内を通過する前記磁束の前記方向の前記第４コア部の長さＬ４とは以下の関係：
Ｌ３＜Ｌ１、
Ｌ４＜Ｌ１、
Ｌ３＜Ｌ２、
Ｌ４＜Ｌ２、
を満たす、請求項２に記載のリアクトル。
【請求項４】
前記コアは長方形環形状を有する、請求項１から３のいずれか一項に記載のリアクトル。
【請求項５】
前記第１コア部と前記第２コア部と前記第３コア部と前記第４コア部とは直線形状に延びて、前記長方形環形状の４つの辺をそれぞれ構成する、請求項４に記載のリアクトル。
【請求項６】
前記第１巻回部には、前記第１コア部内を通過する磁束の方向に前記第１コア部を分割する第１ギャップが形成されており、
前記第２巻回部には、前記第２ギャップは、前記第２コア部内を通過する磁束の方向に前記第２コア部を分割する第２ギャップが形成されている、請求項１から５のいずれか一項に記載のリアクトル。
【請求項７】
前記第１巻回部には、前記第１巻回部内を通過する磁束の方向に前記第１巻回部を分割する第３ギャップが形成されている、請求項６に記載のリアクトル。
【請求項８】
前記第２巻回部には、前記第２巻回部内を通過する磁束の方向に前記第２巻回部を分割する第４ギャップが形成されている、請求項７に記載のリアクトル。
【発明の詳細な説明】
【技術分野】
【０００１】
本発明は、インダクタンスを利用した受動素子であるリアクトルに関する。
【背景技術】
【０００２】
特許文献１は、リアクトルの小型化および大電流が流れたときの直流重畳特性の向上を目的として、コイルが巻回されているコアの部分の断面積をコイルが巻回されていないコアの部分の断面積より広くするリアクトルを開示している。【０００３】
特許文献２は、簡単な構成でインダクタンスの調整を可能とすることを目的として、コイルが巻回されていないコアの長さを変えることができるリアクトルを開示している。【０００４】
特許文献３は、据付時のバランスや組立の容易性を目的として、コアのコイルが巻回されている部分の長さと、コイルが巻回されていない部分の長さの比を決定したリアクトルを開示している。
【先行技術文献】
【特許文献】
【０００５】
【特許文献１】特開２００７−２４３１３６号公報
【特許文献２】特開平１１−２３８２６号公報
【特許文献３】特開２００９−２５９９７１号公報
【発明の概要】
【０００６】
リアクトルは、発熱の影響の磁性体よりなるコアと、コアの一部に巻回されているコイルとを備える。コアは、互いに反対側に位置する両端を有する第１コア部と、互いに反対側に位置する両端を有する第２コア部と、互いに反対側に位置する両端を有する第３コア部と、互いに反対側に位置する両端を有する第４コア部とを有する。第１コア部の両端のうちの一方の端は第３コア部の両端のうちの一方の端に接続されている。第３コア部の両端のうちの他方の端は第２コア部の両端のうちの一方の端と接続されている。第２コア部の両端のうちの他方の端は第４コア部の両端のうちの一方の端と接続されている。第４コア部の両端のうちの他方の端は第１コア部の両端のうちの他方の端と接続されている。コイルは、第１コア部の一部に巻回された第１コイル部と、第２コア部の一部に巻回された第２コイル部とを有する。第１コア部は、第１コイル部が巻回されている第１巻回部と、第１コア部の両端の一方の端から第１巻回部まで延びていて第１コイル部が巻回されていない第１領域と、第１コア部の両端の他方の端から第１巻回部まで延びていて第１コイル部が巻回されていない第２領域とを有する。第２コア部は、第２コイル部が巻回されている第２巻回部と、第２コア部の両端の一方の端から第２巻回部まで延びていて第２コイル部が巻回されていない第３領域と、第２コア部の両端の他方の端から第２巻回部まで延びていて第２コイル部が巻回されていない第４領域とを有する。第３コア部と第１コア部の第１領域と第２コア部の第３領域とは第１非巻回部を構成する。第４コア部と第１コア部の第２領域と第２コア部の第４領域とは第２非巻回部を構成する。第１コア部内を通過する磁束に垂直な方向の第１コア部の断面積Ｓ１と、第２コア部内を通過する磁束に垂直な方向の第２コア部の断面積Ｓ２と、第３コア部内を通過する磁束に垂直な方向の第３コア部の断面積Ｓ３と、第４コア部内を通過する磁束に垂直な方向の第４コア部の断面積Ｓ４と、第１巻回部の長さＡ１と、第２巻回部の長さＡ２と、第１非巻回部の長さＢ１と、第２非巻回部の長さＢ２とは以下の関係：
Ａ１＋Ａ２＜Ｂ１＋Ｂ２、
Ｓ１＞Ｓ３、
Ｓ１＞Ｓ４、
Ｓ２＞Ｓ３、
Ｓ２＞Ｓ４、
を満たす。
【０００７】
このリアクトルは、発熱の影響の低減と小型化を両立させることができる。
【図面の簡単な説明】
【０００８】
【図１】図１は実施の形態１におけるリアクトルの斜視図である。
【図２】図２は図１に示すリアクトルの線ＩＩ−ＩＩにおける断面図である。
【図３】図３は実施の形態１におけるリアクトルの断面図である。
【図４】図４は図１に示すリアクトルの線ＩＶ−ＩＶにおける断面図である。
【図５】図５は図１に示すリアクトルの線Ｖ−Ｖおける断面図である。
【図６Ａ】図６Ａは実施の形態１におけるリアクトルの特性を示す図である。
【図６Ｂ】図６Ｂは実施の形態１におけるリアクトルの交流損失を示す図である。
【図７】図７は実施の形態２におけるリアクトルの断面図である。
【発明を実施するための形態】
【０００９】
（実施の形態１）
図１は実施の形態１におけるリアクトル１０の斜視図である。図２は図１に示すリアクトル１０の線ＩＩ−ＩＩにおける断面図であり、リアクトル１０のＸＹ平面に平行な面での断面を示す。図３はリアクトル１０の断面図である。図４は図１に示すリアクトル１０の線ＩＶ−ＩＶにおける断面図であり、リアクトル１０のＸＺ平面に平行な面の断面を示す。図５は図１に示すリアクトル１０の線Ｖ−Ｖにおける断面図であり、リアクトル１０のＹＺ平面に平行な面の断面を示す。
【００１０】
リアクトル１０はコア２０とコイル３０を有する。
【００１１】
コア２０は磁性体よりなる。コア２０はコア部２１、コア部２２、コア部２３、およびコア部２４を有する。コア部２１はコア部２３と接続され、コア部２３はコア部２２と接続され、コア部２２はコア部２４と接続され、コア部２４はコア部２１と接続されている。コア部２１、コア部２２、コア部２３、およびコア部２４はいずれも磁性体よりなる。コア２０は長方形環形状を有する。これにより、リアクトル１０は、コアがＥＩ型などの他の形状のコアを有するリアクトルに比べて小型化を図ることができる。
【００１２】
具体的には、コア部２１は、互いに反対側に位置する両端２１ａ、２１ｂを有する。コア部２２は、互いに反対側に位置する両端２２ａ、２２ｂを有する。コア部２３と、互いに反対側に位置する両端２３ａ、２３ｂを有する。コア部は、互いに反対側に位置する両端２４ａ、２４ｂを有する。コア部２１の両端２１ａ、２１ｂのうちの一方の端２１ａはコア部２３の両端２３ａ、２３ｂのうちの一方の端２３ｂに接続されている。コア部２３の両端２３ａ、２３ｂのうちの他方の端２３ｂはコア部２２の両端２２ａ、２２ｂのうちの一方の端２２ａと接続されている。コア部２２の両端２２ａ、２２ｂのうちの他方の端２２ｂはコア部２４の両端２４ａ、２４ｂのうちの一方の端２４ａと接続されている。コア部２４の両端２４ａ、２４ｂのうちの他方の端２４ｂはコア部２１の両端２１ａ、２１ｂのうちの他方の端２１ｂと接続されている。
【００１３】
コイル３０は導体よりなる。コイル３０はコア２０に巻回されている。コイル３０はコイル部３１およびコイル部３２を有する。コイル部３１およびコイル部３２は互いに電気的に接続されている。コイル部３１はコア部２１の一部に巻回されている。コイル部３２はコア部２２の一部に巻回されている。実施の形態１において、コイル３０は平角銅線よりなるが、これに限られない。
【００１４】
図１から図５において、互いに直角のＸ軸とＹ軸とＺ軸とを定義する。コイル部３１およびコイル部３２により発生する磁束Ｍ１、Ｍ２はコア２０内を同一方向に通過する。例えば、図１において、ある瞬間においてコイル部３１により発生する磁束Ｍ１が、コア部２１をＹ軸の正方向を通過し、コア部２２をＹ軸の負方向に通過し、コア部２３をＸ軸の正方向に通過し、コア部２４をＸ軸の負方向に通過するとき、コイル部３２により発生する磁束Ｍ２もコイル部３１により発生する磁束Ｍ１と同じ方向にコア部２１〜２４を通過する。磁束Ｍ１、Ｍ２は合成されて磁束Ｍ３となりコア２０の各部を通過する。
【００１５】
図２はコア部２１の磁束Ｍ３が通過する方向の長さＬ１と、コア部２２の磁束Ｍ３が通過する方向の長さＬ２と、コア部２３の磁束Ｍ３が通過する方向の長さＬ３と、コア部２４の磁束Ｍ３が通過する方向の長さＬ４とを示す。コア部２１の長さＬ１はコア部２１の外側の長さであるＬ１ａとコア部２１の内側の長さであるＬ１ｂの平均値である。同様に、コア部２２の長さＬ２はコア部２２の外側の長さＬ２ａと、コア部２２の内側の長さＬ２ｂの平均値である。コア部２３の長さＬ３はコア部２３の外側の長さＬ３ａと、コア部２３の内側の長さＬ３ｂの平均値である。コア部２４の長さＬ４はコア部２４の外側の長さＬ４ａと、コア部２４の内側の長さＬ４ｂの平均値である。実施の形態１においては、長さＬ１〜Ｌ２は、Ｌ１＝Ｌ２、Ｌ３＝Ｌ４の関係を満たす。
【００１６】
図３に示すように、コア２０は、巻回部２５、巻回部２６、非巻回部２７、および非巻回部２８の４つの領域に区分される。巻回部２５は、コア部２１の中でコイル部３１が巻回されている領域である。巻回部２６は、コア部２２の中でコイル部３２が巻回されている領域である。非巻回部２７は、コア部２３と、コア部２１の巻回部２５でない部分のうちコア部２３と接続している側の部分と、コア部２２の巻回部２６でない部分のうちコア部２３と接続している側の部分とをあわせた領域である。非巻回部２８は、コア部２４と、コア部２１の巻回部２５でない部分のうちコア部２４と接続している側の部分と、コア部２２の巻回部２６でない部分のうちコア部２４と接続している側の部分とをあわせた領域である。
【００１７】
コア部２１は、コイル部３１が巻回されている巻回部２５と、コア部２１の一方の端２１ａから巻回部２５まで延びている領域６１ａと、コア部２１の他方の端２１ｂから巻回部２５まで延びている領域６１ｂとを有する。領域６１ａ、６１ｂにはコイル部３１が巻回されていない。コア部２２は、コイル部３２が巻回されている巻回部２６と、コア部２２の一方の端２２ａから巻回部２６まで延びている領域６２ａと、コア部２２の他方の端２２ｂから巻回部２６まで延びている領域６２ｂとを有する。領域６２ａ、６２ｂにはコイル部３２が巻回されていない。コア部２３とコア部２１の領域６１ａとコア部２２の領域６２ａとは非巻回部２７を構成する。コア部２４とコア部２１の領域６１ｂとコア部２２の領域６２ｂとは非巻回部２８を構成する。
【００１８】
コア２０は環形状を有し、実施の形態１ではコア２０は長方形環形状を有する。巻回部２６は、上記環形状に沿って巻回部２５から離れている。非巻回部２７は上記環形状に沿って巻回部２５から巻回部２６まで延びている。非巻回部２８は、上記環形状に沿って巻回部２５から巻回部２６まで延びて、巻回部２５、２６について非巻回部２７の反対側に位置する。
【００１９】
巻回部２５は、巻回部２５を通過する磁束Ｍ３の方向の長さＡ１を有する。巻回部２６、巻回部２６を通過する磁束Ｍ３の方向の長さＡ２を有する。非巻回部２７は、非巻回部２７を通過する磁束Ｍ３に沿った長さＢ１を有する。非巻回部２８は、非巻回部２８を通過する磁束Ｍ３に沿った長さＢ２を有する。本実施の形態においては、巻回部２５はコア部２１の長さ方向の中央部に位置し、巻回部２６はコア部２２の長さ方向の中央部に位置している。よって、下記の関係が成立する。
【００２０】
Ｂ１＝Ｌ３＋（Ｌ１−Ａ１）÷２＋（Ｌ２−Ａ２）÷２
Ｂ２＝Ｌ４＋（Ｌ１−Ａ１）÷２＋（Ｌ２−Ａ２）÷２
さらに、本実施の形態においては、Ｌ１＝Ｌ２、Ｌ３＝Ｌ４、Ａ１＝Ａ２となるので、下記の関係も成立する。
【００２１】
Ｂ１＝Ｌ３＋Ｌ１−Ａ１＝Ｌ４＋Ｌ２−Ａ２＝Ｂ２
コア２０の長方形環状は一対の対辺７１、７２と一対の対辺７３、７４とを有する。コア部２１〜２４は直線形状に延びて、長方形環形状の４つの辺７１〜７４をそれぞれ構成する（図３参照）。巻回部２５は一対の対辺７１、７２のうちの一方の対辺７１に設けられている。巻回部２６は一対の対辺７１、７２のうちの他方の対辺７２に設けられている。非巻回部２７は一対の対辺７３、７４のうちの一方の対辺７３を含む。非巻回部２８は一対の対辺７３、７４のうちの他方の対辺７４を含む。
【００２２】
近年、リアクトルは大電流が流れる電気回路に用いられるようになってきた。リアクトルに大電流が流れると、リアクトルからの発熱量が多くなる。リアクトルからの発熱量が多いと、リアクトル自体、またはリアクトルの周辺に配置された電子部品に熱の影響を与える。
【００２３】
一方、各種の電子部品に小型化が求められるのと同様に、リアクトルも小型化が求められている。しかし、発熱を考慮すると、熱容量と放熱面積の点からリアクトルは大きい方が好ましく、リアクトルを単純に小型化するとリアクトルが高温になってしまう場合がある。
【００２４】
実施の形態１におけるリアクトル１０では、コイル３０が巻回されていないコア部２３、２４を通過する磁束Ｍ３に垂直な方向の断面積Ｓ３、Ｓ４が、共に、コイル３０が巻回されているコア部２１、２２を通過する磁束Ｍ３に垂直な方向の断面積Ｓ１、Ｓ２の何れよりも小さい。即ち、リアクトル１０では断面積Ｓ１、Ｓ３、Ｓ３、Ｓ４は、Ｓ１＞Ｓ３、Ｓ１＞Ｓ４、Ｓ２＞Ｓ３、およびＳ２＞Ｓ４の関係を満たす。磁束Ｍ３が比較的小さいコア部２３、２４の断面積Ｓ３、Ｓ４を小さくしても、発熱による影響は小さく、小型化を図ることができる。また、コア部２３、２４の断面積Ｓ３、Ｓ４を小さくすることは、磁束Ｍ３が比較的大きいコア部２１、２２の断面積Ｓ１、Ｓ２を小さくするよりもインダクタンスに及ぼす影響は小さいので、リアクトル１０はインダクタンスの低下を抑えることができる。
【００２５】
さらに、本実施の形態のリアクトル１０では巻回部２５、２６の長さＡ１、Ａ２の和が非巻回部２７、２８の長さＢ１、Ｂ２の和より短い、即ち、長さＡ１、Ａ２、Ｂ１、Ｂ２はＡ１＋Ａ２＜Ｂ１＋Ｂ２の関係を満たす。これによりコイル部３１およびコイル部３２の内部が互いに近接することによる損失を低下させることができる。
【００２６】
また、コイル部３１、３２が巻回された領域であるコア２０の巻回部２５、２６では磁束Ｍ３がコア２０の他に部分に比べ大きい。しかし、リアクトル１０は寸法変化の大きな領域の距離を短くすることで、磁歪による寸法変化を小さくすることができ、リアクトル１０は振動が小さくなり、振動音も小さくなる。
【００２７】
図６Ａはリアクトル１０の特性を示し、詳細には巻回部２５の長さＡ１と巻回部２６の長さＡ２の和（Ａ１＋Ａ２）の、非巻回部２７の長さＢ１と非巻回部２８の長さＢ２の和（Ｂ１＋Ｂ２）に対する比ＲＡＢ（ＲＡＢ＝（Ａ１＋Ａ２）／（Ｂ１＋Ｂ２））と、リアクトル１０の損失との関係を示す。
【００２８】
リアクトル１０の損失は、回路効率を考慮した場合、４２０Ｗ未満であることが好ましい。比ＲＡＢが０．９を超えとコイル損失が大となり、０．５未満ではコイル損失は抑えることができるがコア損失が大となる。また、比ＲＡＢが０．３以下の場合は、巻回部の長さが極端に短くなり、現実的にコイルを巻くことが困難となる。従って、長さＡ１、Ａ２、Ｂ１、Ｂ２は以下の関係を満たすことが好ましい。
（Ｂ１＋Ｂ２）×０．５＜Ａ１＋Ａ２＜（Ｂ１＋Ｂ２）×０．９
コア部２１、２２、２３、２４の断面積Ｓ１、Ｓ２、Ｓ３、Ｓ４は以下の関係を満たすことが好ましい。
Ｓ１×０．６＜Ｓ３＜Ｓ１
Ｓ１×０．６＜Ｓ４＜Ｓ１
Ｓ２×０．６＜Ｓ３＜Ｓ２
Ｓ２×０．６＜Ｓ４＜Ｓ２
断面積Ｓ１、Ｓ２、Ｓ３、Ｓ４が上記の関係を満たすことで、リアクトル１０は磁気飽和することなく小型化が可能となる。
【００２９】
さらに、本実施の形態のリアクトル１０においては、コイル３０が巻回されていないコア部２３を通過する磁束Ｍ３の方向のコア部２３の長さＬ３およびコア部２４を通過する磁束Ｍ３の方向のコア部２４の長さＬ４は、共に、コイル３０が巻回されているコア部２１を通過する磁束Ｍ３の方向の長さＬ１およびコア部２２を通過する磁束Ｍ３の方向のコア部２２の長さＬ２の何れよりも短くしてもよい。即ち、リアクトル１０はＬ１＞Ｌ３、Ｌ１＞Ｌ４、Ｌ２＞Ｌ３、Ｌ２＞Ｌ４の関係を満たしてもよい。リアクトル１０は長さＬ１、Ｌ２、Ｌ３、Ｌ４が上記の関係を満たすことで小型化を図ることができる。
【００３０】
図６Ｂは、比ＲＡＢがそれぞれ０．６、０．９、１．５である試料において、リップル電流を同一とした場合の周波数と、コイル部の銅線の交流損失との関係を示す。図６Ｂは、比ＲＡＢが０．６であり周波数が１０ｋＨｚの場合の銅線の交流損失を１００として、比ＲＡＢの複数の値と複数の周波数における銅線の交流損失を表す。図６Ｂは、周波数が１０ｋＨｚでの交流損失に対する周波数が５０ｋＨｚ、１００ｋＨｚでの交流損失の増加率を併せて示す。
【００３１】
図６Ｂに示すように、周波数が高くなるほど交流損失の増加率が大きくなる。さらに、比ＲＡＢが１．５になると増加率が非常に大きい。この点から、周波数が高くなると、以下の式
（Ｂ１＋Ｂ２）×０．５＜Ａ１＋Ａ２＜（Ｂ１＋Ｂ２）×０．９
と満足することは顕著な効果を奏する。
【００３２】
（実施の形態２）
図７は実施の形態２におけるリアクトル１０ａ断面図であり、リアクトル１０ａのＸＹ平面に平行な面の断面を示す。図７において、図１から図５に示す実施の形態１に係るリアクトル１０と同じ部分には同じ参照番号を付す。
【００３３】
実施の形態２におけるリアクトル１０ａでは、コア部２１にギャップ４１、４２、４３が形成されており、コア部２２にギャップ５１、５２、５３が形成されている。
【００３４】
ギャップ４１、４２、４３は巻回部２５に位置している。ギャップ５１、５２、５３は巻回部２６に位置している。
【００３５】
ギャップ４１〜４３は、巻回部２５内を通過する磁束Ｍ３の方向に巻回部２５を分割する。ギャップ４１〜４３は巻回部２５内を通過する磁束Ｍ３の方向に配列されている。同様に、ギャップ５１〜５３は、巻回部２６内を通過する磁束Ｍ３の方向に巻回部２６を分割する。ギャップ５１〜５３は巻回部２６内を通過する磁束Ｍ３の方向に配列されている。
【００３６】
巻回部２５、２６にギャップを設けることで、コア２０の巻回部２５、２６外の部分にギャップを設けた場合と比較して、さらに有効にコア２０にかかる磁場を、ギャップにかかる磁場よりも小さくできるため、ギャップの寸法を小さくしながら、直流重畳特性を向上させることができる。
【産業上の利用可能性】
【００３７】
本発明におけるリアクトルは、インダクタンスを利用した受動素子として有用である。
【符号の説明】
【００３８】
１０，１０ａ    リアクトル
２０    コア
２１    コア部（第１コア部）
２２    コア部（第２コア部）
２３    コア部（第３コア部）
２４    コア部（第４コア部）
２５    巻回部（第１巻回部）
２６    巻回部（第２巻回部）
２７    非巻回部（第１非巻回部）
２８    非巻回部（第２非巻回部）
３０    コイル
３１    コイル部（第１コイル部）
３２    コイル部（第２コイル部）
４１    ギャップ（第１ギャップ）
４２    ギャップ（第３ギャップ）
４３    ギャップ
５１    ギャップ（第２ギャップ）
５２    ギャップ（第４ギャップ）
５３    ギャップ
【図１】
2016163084.tif 000003
【図２】
2016163084.tif 000004
【図３】
2016163084.tif 000005
【図４】
2016163084.tif 000006
【図５】
2016163084.tif 000007
【図６Ａ】
2016163084.tif 000008
【図６Ｂ】
2016163084.tif 000009
【図７】
2016163084.tif 000010
【手続補正書】
【提出日】平成29年8月3日(2017.8.3)
【手続補正１】
【補正対象書類名】明細書
【補正対象項目名】０００６
【補正方法】変更
【補正の内容】
【０００６】
リアクトルは、磁性体よりなるコアと、コアの一部に巻回されているコイルとを備える。コアは、互いに反対側に位置する両端を有する第１コア部と、互いに反対側に位置する両端を有する第２コア部と、互いに反対側に位置する両端を有する第３コア部と、互いに反対側に位置する両端を有する第４コア部とを有する。第１コア部の両端のうちの一方の端は第３コア部の両端のうちの一方の端に接続されている。第３コア部の両端のうちの他方の端は第２コア部の両端のうちの一方の端と接続されている。第２コア部の両端のうちの他方の端は第４コア部の両端のうちの一方の端と接続されている。第４コア部の両端のうちの他方の端は第１コア部の両端のうちの他方の端と接続されている。コイルは、第１コア部の一部に巻回された第１コイル部と、第２コア部の一部に巻回された第２コイル部とを有する。第１コア部は、第１コイル部が巻回されている第１巻回部と、第１コア部の両端の一方の端から第１巻回部まで延びていて第１コイル部が巻回されていない第１領域と、第１コア部の両端の他方の端から第１巻回部まで延びていて第１コイル部が巻回されていない第２領域とを有する。第２コア部は、第２コイル部が巻回されている第２巻回部と、第２コア部の両端の一方の端から第２巻回部まで延びていて第２コイル部が巻回されていない第３領域と、第２コア部の両端の他方の端から第２巻回部まで延びていて第２コイル部が巻回されていない第４領域とを有する。第３コア部と第１コア部の第１領域と第２コア部の第３領域とは第１非巻回部を構成する。第４コア部と第１コア部の第２領域と第２コア部の第４領域とは第２非巻回部を構成する。第１コア部内を通過する磁束に垂直な方向の第１コア部の断面積Ｓ１と、第２コア部内を通過する磁束に垂直な方向の第２コア部の断面積Ｓ２と、第３コア部内を通過する磁束に垂直な方向の第３コア部の断面積Ｓ３と、第４コア部内を通過する磁束に垂直な方向の第４コア部の断面積Ｓ４と、第１巻回部の長さＡ１と、第２巻回部の長さＡ２と、第１非巻回部の長さＢ１と、第２非巻回部の長さＢ２とは以下の関係：
Ａ１＋Ａ２＜Ｂ１＋Ｂ２、
Ｓ１＞Ｓ３、
Ｓ１＞Ｓ４、
Ｓ２＞Ｓ３、
Ｓ２＞Ｓ４、
を満たす。
【手続補正２】
【補正対象書類名】明細書
【補正対象項目名】００１２
【補正方法】変更
【補正の内容】
【００１２】
具体的には、コア部２１は、互いに反対側に位置する両端２１ａ、２１ｂを有する。コア部２２は、互いに反対側に位置する両端２２ａ、２２ｂを有する。コア部２３と、互いに反対側に位置する両端２３ａ、２３ｂを有する。コア部２４は、互いに反対側に位置する両端２４ａ、２４ｂを有する。コア部２１の両端２１ａ、２１ｂのうちの一方の端２１ａはコア部２３の両端２３ａ、２３ｂのうちの一方の端２３ｂに接続されている。コア部２３の両端２３ａ、２３ｂのうちの他方の端２３ｂはコア部２２の両端２２ａ、２２ｂのうちの一方の端２２ａと接続されている。コア部２２の両端２２ａ、２２ｂのうちの他方の端２２ｂはコア部２４の両端２４ａ、２４ｂのうちの一方の端２４ａと接続されている。コア部２４の両端２４ａ、２４ｂのうちの他方の端２４ｂはコア部２１の両端２１ａ、２１ｂのうちの他方の端２１ｂと接続されている。
【手続補正３】
【補正対象書類名】明細書
【補正対象項目名】００１５
【補正方法】変更
【補正の内容】
【００１５】
図２はコア部２１の磁束Ｍ３が通過する方向の長さＬ１と、コア部２２の磁束Ｍ３が通過する方向の長さＬ２と、コア部２３の磁束Ｍ３が通過する方向の長さＬ３と、コア部２４の磁束Ｍ３が通過する方向の長さＬ４とを示す。コア部２１の長さＬ１はコア部２１の外側の長さであるＬ１ａとコア部２１の内側の長さであるＬ１ｂの平均値である。同様に、コア部２２の長さＬ２はコア部２２の外側の長さＬ２ａと、コア部２２の内側の長さＬ２ｂの平均値である。コア部２３の長さＬ３はコア部２３の外側の長さＬ３ａと、コア部２３の内側の長さＬ３ｂの平均値である。コア部２４の長さＬ４はコア部２４の外側の長さＬ４ａと、コア部２４の内側の長さＬ４ｂの平均値である。実施の形態１においては、長さＬ１〜Ｌ４は、Ｌ１＝Ｌ２、Ｌ３＝Ｌ４の関係を満たす。
【手続補正４】
【補正対象書類名】明細書
【補正対象項目名】００２４
【補正方法】変更
【補正の内容】
【００２４】
実施の形態１におけるリアクトル１０では、コイル３０が巻回されていないコア部２３、２４を通過する磁束Ｍ３に垂直な方向の断面積Ｓ３、Ｓ４が、共に、コイル３０が巻回されているコア部２１、２２を通過する磁束Ｍ３に垂直な方向の断面積Ｓ１、Ｓ２の何れよりも小さい。即ち、リアクトル１０では断面積Ｓ１、Ｓ２、Ｓ３、Ｓ４は、Ｓ１＞Ｓ３、Ｓ１＞Ｓ４、Ｓ２＞Ｓ３、およびＳ２＞Ｓ４の関係を満たす。磁束Ｍ３が比較的小さいコア部２３、２４の断面積Ｓ３、Ｓ４を小さくしても、発熱による影響は小さく、小型化を図ることができる。また、コア部２３、２４の断面積Ｓ３、Ｓ４を小さくすることは、磁束Ｍ３が比較的大きいコア部２１、２２の断面積Ｓ１、Ｓ２を小さくするよりもインダクタンスに及ぼす影響は小さいので、リアクトル１０はインダクタンスの低下を抑えることができる。
【国際調査報告】
2016163084.tif 000011
2016163084.tif 000012